(57)【特許請求の範囲】
【請求項１】
植物が植え付けられる搬送可能な単位栽培器と、
単位栽培器が複数ないしは多数設置され、各単位栽培器に植えられた植物を育てる栽培ゾーンと、
植物の取扱いを行う作業場と、
単位栽培器を保持し、植物を、単位栽培器単位で個別に栽培ゾーンと作業場とを行き来させる個別搬送設備と
が備えられている植物自動栽培システムにおいて、
害虫駆除用の浸漬水槽が備えられ、
栽培ゾーンが水耕栽培用水槽で構成されていると共に、各単位栽培器が植物保持器からなって植物保持器に保持させた植物をこの水槽で水耕栽培するようになされており、
前記個別搬送設備が、植物を保持器単位で個別に栽培ゾーンの水耕栽培用水槽と浸漬水槽とを行き来させ、浸漬水槽において保持器の植物を浸漬水槽内に所定の時間浸漬して害虫駆除するようになされ、
この浸漬害虫駆除法で無農薬栽培が行われるようになされていることを特徴とする植物自動栽培システム。
【請求項２】
栽培ゾーンの植物を単位栽培器単位で撮影するカメラが備えられている請求項１に記載の植物自動栽培システム。
【請求項３】
栽培ゾーンが建物の屋上に設置されている請求項１又は２に記載の植物自動栽培システム。
【請求項４】
請求項１乃至３のいずれか一に記載の植物自動栽培システムを用いた植物商取引システムであって、
インターネット網を通じてアクセスできるホームページを通じて、前記植物自動栽培システムの栽培ゾーンで栽培されている植物の生育状態を映像で見ることができるようになっていると共に、植物自動栽培システムの栽培ゾーンで栽培されている植物を指定して購入できるようになっている植物商取引システム。
【請求項５】
請求項１乃至３のいずれか一に記載の植物自動栽培システムを単位栽培器単位で利用する植物栽培利用システムであって、
インターネット網を通じてアクセスできるホームページを通じて、単位栽培器の利用の契約を結ぶことができるようになっていると共に、植物栽培ゾーンに設置されている利用栽培器で栽培されている植物の生育状態を映像で見ることができるようになっていることを特徴とする植物栽培利用システム。
【請求項６】
インターネット網を通じてアクセスできるホームページを通じて、栽培する植物を選択し、利用する単位栽培器への選択植物の植付けの注文を行うことができるようになっている請求項５に記載の植物栽培利用システム。
【請求項７】
インターネット網を通じてアクセスできるホームページを通じて、利用栽培器で栽培されている植物の収穫の注文を行えるようになっている請求項５又は６に記載の植物栽培利用システム。
【請求項８】
請求項５乃至７のいずれか一に記載の植物栽培利用システムを用いた植物商取引システムであって、
インターネット網を通じてアクセスできるホームページを通じて、栽培ゾーンの利用単位栽培器で栽培されている植物の生育状態を植物購入希望者が映像で見ることができるようになっていると共に、この利用単位栽培器で栽培されている植物を購入希望者が指定して購入できるようになっている植物商取引システム。
【発明の詳細な説明】
【０００１】
【発明の属する技術分野】
本発明は、植物自動栽培システム並びにそれを用いた商取引システム及び利用システムに関する。
【０００２】
【従来の技術及び課題】
植物の栽培において、これを自動化し労力を少なくする方法が種々考えられているが、植付け時期や収穫時期、成長速度等の異なる複数種の植物を同時に栽培していく場合の合理的な自動化技術の開発については必ずしも万全の開発が進められているとはいえない。
【０００３】
本発明は、このような状況に鑑み、例えば、植付け時期や収穫時期、成長速度等の異なる複数種類ないしは多数種類の植物を同時に栽培していくような場合であってもこれを容易に行っていくことができる植物自動栽培システム並びにその有効活用システムを提供することを課題とする。
【０００４】
【課題を解決するための手段】
上記の課題は、植物が植え付けられる搬送可能な単位栽培器と、
単位栽培器が複数ないしは多数設置され、各単位栽培器に植えられた植物を育てる栽培ゾーンと、
植物の取扱いを行う作業場と、
単位栽培器を保持し、植物を、単位栽培器単位で個別に栽培ゾーンと作業場とを行き来させる個別搬送設備と
が備えられていることを特徴とする植物自動栽培システムによって解決される。
【０００５】
この植物自動栽培システムでは、植物の植付けや手入れ、収穫等の取扱いを、栽培ゾーンにわざわざ入り込んで行わなくとも、単位栽培器を個別搬送設備によって栽培ゾーンと作業場との間で行き来させることで、作業場において行っていくことができ、植物を栽培していく上での植物の取扱い作業を労少なく容易に行っていくことができる。
【０００６】
しかも、搬送設備による搬送は、単位栽培器単位で個別に行うものとなされているから、特定の単位栽培器を搬送する際に他の栽培器を移動させる必要もなく、搬送に要するエネルギーを小さく抑えて経済的な搬送を行うことができる。
【０００７】
のみならず、この自動栽培システムは、植付け時期や収穫時期、成長速度等の異なる複数種類ないしは多数種類の植物を同時に栽培していくような場合に、特に効果的に用いることができる。
【０００８】
即ち、複数種類ないしは多数種類の植物を同時に栽培ゾーンで栽培する場合であっても、本システムによれば、例えば、植え付けて栽培する植物の種類を単位栽培器単位で異ならせるようにすることで、個別搬送設備を用い、特定種類の植物を栽培ゾーンと作業場との間で個別に行き来させ、その植物の取扱いを、栽培ゾーンにおいてではなく、作業場において行っていくことができるのであり、それら種類の異なる各植物の植付け・栽培管理を非常に容易に行っていくことが可能である。この搬送設備は、栽培器単位で個別に搬送するものであるから、特定の単位栽培器の搬送において他の単位栽培器の移動を伴うことがなく、栽培ゾーンと作業場との間での特定種類の植物の搬送を簡易に行うことができる。
【０００９】
上記の自動栽培システムにおいて、栽培ゾーンの植物を単位栽培器単位で撮影するカメラが備えられている場合は、このカメラで撮影した映像をもとに、その単位栽培器の植物の生育状況を、栽培ゾーンに入り込むことなく遠隔で、視覚的に把握することができ、栽培途上での植物の手入れの必要性や収穫の時期の管理を労少なく行っていくことができる。特に、複数種類ないしは多数種類の植物を同時栽培するような場合は、各種類の植物の栽培管理を労少なく的確に行っていくことができる。
【００１０】
また、上記の栽培自動化システムにおいて、
害虫駆除用の浸漬水槽が備えられ、
栽培ゾーンが水耕栽培用水槽で構成されていると共に、各単位栽培器が植物保持器からなって植物保持器に保持させた植物をこの水槽で水耕栽培するようになされており、
前記個別搬送設備が、植物を保持器単位で個別に栽培ゾーンの水耕栽培用水槽と浸漬水槽とを行き来させ、浸漬水槽において保持器の植物を浸漬水槽内に所定の時間浸漬して害虫駆除するようになされ、
この浸漬害虫駆除法で無農薬栽培が行われるようになされているのもよい。
【００１１】
この栽培システムでは、植物を浸漬させることで害虫駆除するものであるから、農薬による害がなく、虫食いのないあるいは少ない体裁良い植物を収穫することができるのはもちろんのことであるが、この害虫駆除用の浸漬水槽を水耕栽培用の水槽とは別に備えさせ、個別搬送設備が、植物を保持器単位で個別に栽培ゾーンの水耕栽培用水槽と浸漬水槽とを行き来させて植物の浸漬を行うようになされているから、水耕栽培用水槽の貯水量を少なくすることができると共に、浸漬水槽も小さくできてその貯水量を少なくすることができ、それによって、本栽培システムの使用時における全体重量を小さく抑えることができて、この栽培システムを設置して使用することのできる場所的な適用範囲を拡大することが可能となる。しかも、土壌を使用しない水耕栽培であり、植物は保持器に保持させ、搬送設備にこの保持器を単位として個別搬送させるようになされているから、搬送設備は、植物のみを保持した保持器を搬送しうる程度の能力を備えていればよく、搬送に要するエネルギーを小さく抑えることができる。加えて、浸漬の時期的タイミングを保持器単位で異ならせることができ、植物の種類等に応じた個別の害虫駆除を行っていくことも可能となる。
【００１２】
この浸漬殺虫水耕栽培方式のシステムにおいて、栽培ゾーンが建物の屋上に設置されている場合は、屋上スペースの有効利用を図ることができ、また、植物が太陽光を充分に浴びることができて抗酸化物質の豊かな植物を得ることができ、更に、虫食いのないあるいは少ない体裁良い植物を収穫することができる。のみならず、軽量であるから建物屋上の重量制限を容易にクリアーすることができ、水耕栽培であるから撤去も容易であり、虫食いもないから、屋上緑化を広く普及させていくことが可能となる。
【００１３】
また、本発明は、上記の植物自動栽培システムを用いた植物商取引システムを含む。即ち、この商取引システムは、インターネット網を通じてアクセスできるホームページを通じて、前記植物自動栽培システムの栽培ゾーンで栽培されている植物の生育状態を映像で見ることができるようになっていると共に、植物自動栽培システムの栽培ゾーンで栽培されている植物を指定して購入できるようになっているものである。
【００１４】
この商取引システムでは、購入を希望する者が、実際に栽培されている植物を映像で確認したうえで、購入をすることができるのであり、植物の購入を、栽培されている状態の植物との関係で行っていくことができる。
【００１５】
また、本発明は、上記の植物自動栽培システムを単位栽培器単位で利用する植物栽培利用システムを含む。即ち、この利用システムは、インターネット網を通じてアクセスできるホームページを通じて、単位栽培器の利用の契約を結ぶことができるようになっていると共に、植物栽培ゾーンに設置されている利用栽培器で栽培されている植物の生育状態を映像で見ることができるようになっているものである。
【００１６】
この利用システムでは、植物の栽培を希望する者が、栽培自動化システムにおける栽培容器を利用して植物の栽培を行うことができる。しかも、栽培過程における植物の生育状態も遠隔地から視覚的に容易に把握していくことができ、栽培中の植物の管理を容易に行っていくことが可能となる。
【００１７】
この利用システムにおいて、インターネット網を通じてアクセスできるホームページを通じて、栽培する植物を選択し、利用する単位栽培器への選択植物の植付けの注文を行うことができるようになっている場合は、現地で植え付ける手間を省けて栽培を容易に開始することができる。
【００１８】
また、この利用システムにおいて、インターネット網を通じてアクセスできるホームページを通じて、利用栽培器で栽培されている植物の収穫の注文を行えるようになっている場合は、現地で収穫作業を行う手間を省けて収穫作業を容易に行うことができると共に、自らが栽培管理した植物を入手することができ、野菜や果物などの食用植物の栽培ではこれを食べてこれまでにない満足感にひたることができる。
【００１９】
更に、本発明は、この植物栽培利用システムを用いた植物商取引システムをも含む。即ち、この商取引システムは、インターネット網を通じてアクセスできるホームページを通じて、栽培ゾーンの利用単位栽培器で栽培されている植物の生育状態を購入希望者が映像で見ることができるようになっていると共に、この利用単位栽培器で栽培されている植物を購入希望者が指定して購入できるようになっているものである。
【００２０】
この商取引システムでは、栽培器利用者に、栽培器利用の金銭的負担を負わせるだけでなく、その負担に見合う収益を挙げるビジネスの機会を提供することができる。しかも、栽培器利用者は、収益を挙げるために質の高い栽培を行うようになり、利用システムから提供される植物の品質を高いものにすることができる。
【００２１】
【発明の実施の形態】
次に、本発明の実施形態を図面に基づいて説明する。
【００２２】
図１乃至図３に示す実施形態の植物自動栽培システム１は、ビルなどの建物の屋上１９に設置して用いられる水耕栽培式の栽培システムである。この栽培システム１において、２は栽培ゾーン、３は作業場、４…は害虫駆除用の浸漬水槽、５…は単位栽培器としての植物保持器、そして、６が個別搬送設備、７がコントロール部である。
【００２３】
植物保持器５は、植物を植え付けるもので、本実施形態では水耕栽培を行うので、図４（イ）（ロ）に示すように、植物の苗１０を定植する孔５ａ…を面内に複数個備えた方形板状のものからなり、その平面サイズは例えば１ｍ四方であり、定植孔５ａ…は、直交する水平２方向にそれぞれ４つづつ配列され合計１６個設けられている。植物の苗１０は、保持器５の定植孔５ａに対し、根を保持器５の下方に突出させるようにして植え付けるようにすればよい。なお、この植物保持器５には、図４（ハ）に示すような防鳥ネット８や、図４（ニ）に示すような遮蔽ボックス９を取り付けることができるようになっているのもよい。遮蔽ボックス９は、日光を遮蔽して日照時間を調整することにより、例えば冬野菜を夏場につくったりするのに用いられる。
【００２４】
栽培ゾーン２は、この保持器５が複数ないしは多数設置され、各単位保持器５…に植えられた植物を育てていくところである。本実施形態の栽培ゾーン２は、水耕栽培用のもので、屋上スラブ１９上に水槽１２を設置してつくられたものであり、この水槽１２は断熱水槽からなっていて、水槽内部は格子状に仕切られ、格子の各目の部分に単位保持器５をセットすることで、水槽内に入れられた水あるいは有機養液で単位保持器５…の植物が水耕栽培されるようになされている。
実施形態では、格子の目が、直交する水平２方向において１方向に１４、他方向に１５配列され、合計２１０の単位保持器５…を栽培ゾーン２に設置することができるようになっている。水槽１２として断熱水槽を用いることで、建物の屋上の防水層を保護することができる。
【００２５】
作業場３は、植物の各種取扱いを行うところである。栽培ゾーン２とは別に、この栽培ゾーン２と隣り合う特定のエリアに設けられている。作業場３での植物の具体的な取扱い内容は、例えば、単位保持器５への植物の植付け作業や生育後の収穫作業を主たるものとするが、その他、必要に応じて、栽培途中における植物の各種手入れなども含まれてよい。
【００２６】
個別搬送設備６は、単位栽培器としての保持器５を一つキャッチし、この保持器５を栽培ゾーン２と作業場３とで行き来させることにより、植物の搬送を行うことを役割の一つとするものであり、本実施形態の個別搬送設備６には、レール１３と、このレール１３に案内されて作業を行う１機又は複数機の作業ロボット１４が備えられている。
【００２７】
この作業ロボット１４は、図２及び図３に示すように、昇降式キャッチャー１５の備えられた天部１４ａと、この天部１４ａを水槽１２の上方所定高さ位置に位置させる脚部１４ｂ…とを備え、脚部１４ｂ…の下端部をレール１３上にのせて移動できるようになされている。
【００２８】
レール１３は、栽培ゾーン２において、水槽１２の周囲壁１２ａ及び水槽１２内の格子状の仕切壁１２ｂの上面部分を利用して格子の一方向にのみ平行に延ばされており、作業ロボット１４は格子の目を一つ跨ぐようにして脚部１４ｂ…がレール１３にのせられ、栽培ゾーン２を一方向に往復移動するようになされている。作業ロボット１４は、栽培ゾーン２の格子の目内の特定の保持器５の上方において、昇降式キャッチャー１５が下降し、保持器５を１つキャッチして水槽１２から上昇させ、この上昇状態で保持器５を栽培ゾーン２で移動させていくことができるようになっている。
【００２９】
そして、栽培ゾーン２のレール１３は、図１に示すように、方向転換レール部１６を介して作業場３へと延ばされ、作業ロボット１４が栽培ゾーン２と作業場３を方向転換レール部１６を介して行き来し、植物保持器５一つ単位での植物の搬送が行われるようになされている。
【００３０】
実施形態では、この作業ロボット１４に図３に示すようにカメラ１７が備えられており、栽培ゾーン２で栽培中の植物を、保持器５一つ単位で撮影していくことができるようになっている。カメラ１７は動画撮影用のものであってもよいし静止画撮影用のものであってもよい。
【００３１】
更に、本実施形態では、害虫駆除用の浸漬水槽４…も備えられている。この浸漬水槽４は、植物をその根より上の部分をも含めて浸漬することができる深さ寸法を備えており、水槽栽培用の水槽１２の深さ寸法よりも大きく設計され、栽培ゾーン２と隣接して、水耕栽培用の水槽１２とは別に備えられている。浸漬作業は、上記の個別搬送設備６の作業ロボット１４が、栽培ゾーン２と浸漬水槽４とを行きし、浸漬水槽４で、保持器５に保持されている植物の上下方向の全体を浸漬水槽４に浸漬することにより行われる。実施形態では、浸漬水槽４…は、栽培ゾーン２のレール１３の延長上に、各列に１つの割合で設置され、作業ロボット１４は、直線往復移動の繰り返しによって、その列の保持器５…を一つ単位で、その列の延長上にある浸漬水槽４に浸漬して害虫駆除を行っていくようになされている。
【００３２】
コントロール部７は、個別搬送設備６の動作制御や、撮影のためのカメラ１７の動作制御、水槽１２，４内の液量の制御など、栽培システム１を稼働していく上で必要な各種制御を行うものである。なお、１８はポンプ等の関係設備機器である。
【００３３】
上記の植物自動栽培システムでは、作業場３で保持器５に植物の苗を定植したのち、この保持器５を作業ロボット１４にキャッチさせて栽培ゾーン２の所定の設置位置に設置させることでその植物の栽培を開始することができる。植物の種類は、野菜や果物、観葉植物等、各種植物であってよい。こうして栽培ゾーン２に保持器５を単位とする多くの植物を栽培していくことができる。なお、植物を保持させていない保持器５…は、予め栽培ゾーン２に設置しておくようにしてもよいし、別途保管しておくようにしてもよい。
【００３４】
そして、植物の生育過程において、害虫駆除のため、作業ロボット１４が栽培ゾーン２の植物を保持器５一つ単位で浸漬水槽４へと搬送し、そこで浸漬水槽４に浸漬して害虫を駆除したのち、保持器５は、栽培ゾーン２のもとの設置場所に戻される。
【００３５】
また、栽培過程でカメラ１７が栽培ゾーン２の植物を保持器５一つ単位で撮影していき、栽培ゾーン２の植物の状態が、栽培ゾーン２に入り込むことなく遠隔で視覚的に把握され、得られた映像をもとに、手入れの必要な植物や収穫する植物を作業ロボット１４で栽培ゾーン２から作業場３へと搬送し、栽培ゾーン２においてではなく作業場３において、植物の手入れや収穫が行われる。
【００３６】
このように、上記の栽培システム１によれば、植物の植付けや手入れ、収穫等の取扱いを、栽培ゾーン２内にわざわざ入り込んで行わなくとも、単位保持器５を作業ロボット１４によって栽培ゾーン２と作業場３との間で行き来させることにより、作業場３において行うことができ、栽培ゾーン２において、植物を栽培していく上で必要な植物の取扱い作業を労少なく容易に行っていくことができる。
【００３７】
しかも、この搬送設備６は、単位保持器５を一つ単位で個別に搬送していくものとなされているから、特定の単位保持器５を搬送する際に他の保持器を動かす必要もなく、搬送に要するエネルギーを小さく抑えて搬送を経済的に行っていくことができる。
【００３８】
そして、植付け時期や収穫時期、成長速度等の異なる複数種類ないしは多数種類の植物を同時に栽培していくような場合であっても、植え付けて栽培する植物の種類を単位保持器単位で異ならせるようにすることで、作業ロボット１４を用い、特定種類の植物を栽培ゾーン２と作業場３との間で個別に行き来させ、その植物に対する取扱いを、栽培ゾーン２においてではなく、作業場３において行っていくことができ、それら種類の異なる各植物の植付け・栽培管理、収穫等の取扱いを非常に容易に行っていくことができる。作業ロボット１４は、単位保持器５を１つ単位で個別搬送するものであるから、特定の単位保持器５の搬送において他の単位保持器の移動を伴うことがなく、栽培ゾーン２と作業場３との間での特定種類の植物の搬送を簡易に行える。
【００３９】
更に、作業ロボット１４には、栽培ゾーン２の植物を保持器５一つ単位で撮影するカメラ１７が備えられているので、このカメラ１７で撮影した映像をもとに、その単位保持器５の植物の生育状況を、栽培ゾーン２に入り込むことなく遠隔で、視覚的に把握することができ、栽培途上での植物の手入れの必要性や収穫の時期の管理を労少なく行っていくことができる。特に、複数種類ないしは多数種類の植物を同時栽培するような場合は、各種類の植物の栽培管理をカメラ撮影で労少なく的確に行っていくことができる。カメラ撮影は、例えば、定期的に行わせるようにしながら希望する時にも適宜行えるようになっているとよい。
【００４０】
更に、この栽培システムでは、水耕栽培と浸漬による害虫駆除との結び付きにおいて、害虫駆除用の浸漬水槽４を水耕栽培用の水槽１２とは別に備えさせ、作業ロボット１４が、植物を保持器５一つ単位で個別に栽培ゾーン２の水耕栽培用水槽１２と浸漬水槽４とを行き来させて植物の浸漬を行うようになされているから、水耕栽培用水槽１２の貯水量を少なくすることができると共に、浸漬水槽４も小さくできてその貯水量を少なくすることができ、本栽培システム１の使用時における全体重量を小さく抑えることができる。これにより、この栽培システム１を設置することのできる場所的な適用範囲を拡大でき、建物屋上に設置するような場合に、その重量制限を容易にクリアーでき、屋上空きスペースの有効利用を図って屋上緑化を広く普及させていくことができる。
【００４１】
しかも、土壌を使用しない水耕栽培であり、植物は保持器５に保持させ、作業ロボット１４にこの保持器５一つを単位として個別搬送させるようになされているから、搬送設備６は、植物のみを保持した保持器５を搬送しうる程度の能力を備えていればよく、搬送に要するエネルギーを小さく抑えることができる。加えて、浸漬の時期的タイミングを保持器単位で異ならせることができ、植物の種類等に応じた個別の害虫駆除を行っていくことも可能である。
【００４２】
なお、上記の実施形態では、建物の屋上に設置される栽培システムの例を示しているが、設置場所に特段の制限はなく、例えば、地面置きのシステムとして構成されてもよい。地面置きのような場合は、建物の屋上のような重量制限もないので、栽培ゾーン２における水耕栽培用水槽１２の深さ寸法を大きくして、この水槽１２に害虫駆除用の浸漬水槽を兼ねさせるようにしてもよい。また、浸漬水槽４を、収穫時などにおける植物を殺菌、あるいは、洗浄に用いてもよい。要は、何らかの浸漬水槽が備えられているとよく、そのような浸漬水槽を、栽培システムにおいて、害虫駆除、殺菌、洗浄のいずれか少なくとも一つを行う目的で使用するようにするのもよい。また、上記の栽培システムでは、作業ロボット１４に個別搬送を行わせる例を示しているが、各種方式の個別搬送設備が用いられてよい。害虫駆除については、浸漬法でなく、その他の駆除法が用いられてもよい。栽培ゾーン２での保持器５…のレイアウトは格子状に限らず、各種レイアウト態様で設置されてよい。また、本発明の栽培システムは、水耕栽培方式に限らず、単位栽培器として、容器に土壌を入れて植物を栽培する形式のものを用い、栽培ゾーン２はこの栽培器を設置する単なるスペースとして構成されていてもよい。また、栽培ゾーン２を建物屋上に設置し、作業場３を屋内などに設置するようにしてもよい。
【００４３】
図５に示す実施形態は、上記の植物自動栽培システム１を用いた商取引システムを示している。この商取引システムは、栽培システム１で栽培されている植物を、インターネット網を通じて購入することができるようにしたシステムである。
【００４４】
即ち、購入希望者が、パーソナルコンピューターなどの端末器２１を用いて、インターネット網２２を通じてシステム本体２３の提供するホームページにアクセスすると、このホームページを通じて、植物自動栽培システム１の栽培ゾーン２で栽培されている植物の生育状態を映像で見ることができるようになっている。
【００４５】
映像は、静止画形式でもよいし動画形式でもよく、また、リアルタイムの映像であってもよいし定期的に撮影した保存映像であってもよい。撮影を行うカメラは植物栽培システム１に備えられており、例えば上記の栽培システム１の場合には、個別搬送設備６の作業ロボット１４に備えられたカメラ１７を兼用で用いて撮影してもよいし、商取引専用のカメラを栽培システム１に備えさせるようにしてもよい。
【００４６】
そして、植物の生育状態を視覚的に把握した購入希望者が、購入の意思決定を行うと、上記のホームページあるいは関連するホームページを通じて購入の手続をすることができるようになっている。購入は、収穫時期にある植物を指定して行うようにしてもよいし、未だ収穫時期にはない植物を先物買いする形式で行われてもよい。販売は、ネット上で、値を付けて行うようにしてもよいし、競りにかけて行うようにしてもよい。
【００４７】
この商取引システムによれば、購入希望者は、実際に栽培されている植物を映像で見たうえで、その植物を購入することができ、植物の購入を、実際に栽培されている植物との関係で行っていくことができる。
【００４８】
図６（イ）に示す実施形態は、上記の植物自動栽培システム１を単位栽培器単位で利用する植物栽培利用システムを示している。この利用システムは、栽培希望者がインターネット網を通じて栽培システムでの植物の栽培を行うことができるようにしたシステムである。
【００４９】
即ち、栽培希望者は、パーソナルコンピューターなどの端末器２１を用いて、インターネット網２２を通じてシステム本体２４の提供するホームページにアクセスすると、このホームページを通じて、植物自動栽培システム１の栽培ゾーン２の設置されている空いた保持器５を知ることができ、その保持器５の利用の契約をそのホームページを通じて結ぶことができるようになっている。利用の契約は、いわゆるリース契約であってもよいし、買い取り契約などであってもよい。
【００５０】
利用契約を結んだ後、本実施形態では、栽培希望者は、ホームページを通じて、栽培する植物を選択し、利用する単位保持器５への選択植物の植付けの注文を行うことができるようになっている。栽培する植物の選択は、例えば、図６（ロ）に示すような栽培野菜の選択ページ２５を用いて行うことができるようになっていると便利である。栽培植物を選択すると、植物の植付けの注文がシステム本体２４に発せされ、栽培システム１において利用保持器５への植物の苗の定植作業が行われ、栽培ゾーン２での栽培が開始される。このように、利用者は端末器２１を通じて指示を出しさえすればよい。
【００５１】
そして、栽培中、栽培利用者は、植物栽培ゾーン２に設置されている利用保持器５の植物の生育状態を、パソコン等の端末器２１を用いることにより、インターネット網２２を通じて映像で見ていくことができるようになっており、端末器２１を用いて遠隔で自らの栽培している植物の生育状態を視覚的に把握していくことができるようになっている。
【００５２】
栽培植物の生育状態が不良である場合には、ホームページを通じて、手入れの指示をシステム本体２４に送り、手入れをしてもらえるようにしておくのもよい。
【００５３】
そして、映像をもとに、収穫の時期を迎えた時は、利用栽培器で栽培されている植物の収穫の注文を端末器２１を用いてインターネット網２２を通じて行えるようになっている。
【００５４】
このように、この植物栽培利用システムでは、植物の栽培を希望する者が、栽培システム１における保持器５を利用して植物の栽培を実際に行うことができるのであり、しかも、栽培過程における植物の生育状態も遠隔地から視覚的に容易に把握していくことができ、栽培中の植物の管理を容易に行っていくことができる。
【００５５】
更に、この栽培利用システムを用いて植物商取引システムに構成するのもよい。即ち、同図６（イ）に示すように、この商取引システムは、インターネット網を通じてアクセスできるホームページを通じて栽培ゾーン２の利用単位保持器５で栽培されている植物の生育状態を植物購入希望者が映像で見ることができるようになっていると共に、植物購入希望者が利用単位保持器５で栽培されている植物を指定して購入できるようになっている。この場合に、栽培利用者が栽培植物に値を付けあるいは競りにかけてネット市場で販売するようにするのもよい。
【００５６】
この商取引システムでは、栽培利用者に、栽培システム利用の金銭的負担を負わせるだけでなく、その負担に見合う収益を挙げるビジネスの機会を提供することができる。しかも、栽培システム利用者は、収益を挙げるために質の高い栽培を行うようになり、利用システムから提供される植物の品質を高いものにすることができる。
【００５７】
【発明の効果】
本発明は、以上のとおりのものであるから、例えば、植付け時期や収穫時期、成長速度等の異なる複数種類ないしは多数種類の植物を同時に栽培していくような場合であっても、これを労少なく容易に行っていくことができる等の種々の効果を発揮することができる。
【図面の簡単な説明】
【図１】実施形態の植物自動栽培システムの全体平面図である。
【図２】栽培ゾーン等を示す斜視図である。
【図３】同断面側面図である。
【図４】植物保持器を示すもので、図（イ）は平面図、図（ロ）は断面側面図、図（ハ）は防鳥ネットを付けた保持器の断面側面図、図（ニ）は遮蔽ボックスを付けた保持器の断面側面図である。
【図５】植物商取引システムの構成図である。
【図６】図（イ）は商取引兼用の栽培利用システムの構成図、図（ロ）は植物選択ページの一例を示す図である。
【符号の説明】
１…植物自動栽培システム
２…栽培ゾーン
３…作業場
４…害虫駆除用浸漬水槽
５…植物保持器（単位栽培器）
６…個別搬送設備
１２…水耕栽培用水槽
１７…カメラ
２１…端末器
２２…インターネット網
２３…システム本体
２４…システム本体
【図１】
0004583656.tif 000002
【図２】
0004583656.tif 000003
【図３】
0004583656.tif 000004
【図４】
0004583656.tif 000005
【図５】
0004583656.tif 000006
【図６】
0004583656.tif 000007